(57)【要約】【課題】帽子等の被り物に複数の小型扇風機や小型カメラ等を取付けると慣性力が大きくなり少しの動きでズレてしまい屋外活動で使いにくい。被るので頭部と多くの面積を接して蒸れやすい。【解決手段】三つのアームを持ち、それで左右の側頭部と後頭部の三点を挟んで固定する物を考案した。これに空間を確保しつつ影をつくるものや風を送るものや動画を撮るもの等を用途に応じて取付けて使用できる。【選択図】図１
2020105681.tif 000002
【特許請求の範囲】
【請求項１】
頭部を挟んで固定することを特徴とする器具。
【請求項２】
ヘルメットに取付けて、頭部を挟むことでの装着を特徴とする器具。
【発明の詳細な説明】
【技術分野】
【０００１】本発明は特に夏場の暑さを軽減させるため、頭部に影と広い空間を確保し、頭部と首周りに風を送るためのものを取付けるためのものです。
帽子でも日傘でもなく、それらの中間的な物を取付けるものです。【０００２】ある程度確りと固定され両手が自由になるので、暑さを和らげる目的で複数の小型扇風機等を取付けて普通に様々な活動をすることが可能です。
【背景技術】
【０００３】特に夏場の屋外活動において、暑さでの不快感があり熱中症になる人もいます。
屋外活動中に携帯型の扇風機を使用して顔や首周りに風を当てるには手で持って向けなくてはいけないので片手での活動に制限されてしまいます。
【発明の概要】
【発明が解決しようとする課題】
【０００４】従来の屋外活動時に身につける帽子は頭部と多くの面積を接してしまうため、空間が狭く蒸れてしまいます。【０００５】帽子は被るだけなので固定が弱く、暑さを和らげる目的で複数の小型扇風機等を取付けると、少しの動きでズレてしまうため屋外活動で使いにくい。【０００６】従来の作業現場で使用のヘルメットに関しては、被って尚且つ顎紐で固定しなくては装着出来ないため、頭部と多くの面積を接して被り、更に顎紐を締めるので髪が押しつぶされて空間が狭くなり蒸れるだけじゃなく、窮屈感や圧迫感が生じます。【０００７】従来の作業現場で使用のヘルメットに関しては、固定が弱いため暑さを和らげる目的で複数の小型扇風機等を取付けると、慣性力が大きくなり少しの動きでズレてしまいます。
【課題を解決するための手段】
【０００８】上記課題を解決するため、三つのアームを持ち、左右の側頭部と後頭部の三点を挟んで固定するものを考案した。
この固定器に、頭部を影にするものや風を送るもの等を取付けて使用する。
【発明の効果】
【０００９】頭部と固定器の接触面積が極端に小さくなり、頭部と被り物の空間を広げられるため、風通しが良くなります。【００１０】ある程度確りと頭に固定出来るので、複数の小型扇風機等を取付けて顔や頭や首周りに風を送ることも可能になり、暑さを軽減します。
【図面の簡単な説明】
【００１１】
【図１】三つのアームを広げた頭部固定器の図
【図２】三つのアームが閉じている頭部固定器の図
【図３】図２の上から見た状態での組み立てる前の頭部固定器の部品の図
【図４】図３の部品を組立てた頭部固定器の図
【図５】頭部固定器に取付けて暑さを軽減させる物の図（例）
【図６】頭部固定器が頭部を挟むために接触する頭部の位置を示す図
【図７】ヘルメット用の頭部固定器の図
【図８】頭部固定器をヘルメットに取付けた状態の図
【発明を実施するための形態】
【００１２】以下、本発明の実施の形態を図面に基づいて説明する。
【００１３】図５に示した影をつくるための物を取付けた図２に示した１、２、３の三つのアームが閉じた状態の頭部固定器を、右手で１の右側アームを左手で３の左側アームを引っ張って広げて図１に示した状態にしたまま、２の後部アームの先端にある５の後頭部接触部を図６に示した１２の位置にある少し窪んだ部分に当てて前に引っ張ることで２の後部アームを広げて、６の左側頭部接触部を図６の１３の位置にある少し窪んだ部分に、４の右側頭部接触部をその対称の位置にある少し窪んだ部分に嵌めて装着する。
【００１４】図４は図２の頭部固定器を上から見たもので、図３は頭部固定器の構造を理解しやすくするために示したもので、図３の各々の部品を組立てると図４になる。
【実施例】
【００１５】過酷な夏場の晴天時の屋外活動、例えばスポーツ観戦において、頭部や首周りに風を受けながら見れるので、暑さを軽減出来る。
【産業上の利用可能性】
【００１６】頭に取付けて両手が自由になるので様々な場面での暑さ対策に利用できます。
庭の手入れ、農作業、釣りや登山やトレッキングやキャンプやゴルフや散歩等のアウトドアスポーツ、スポーツ観戦、景勝地や観光地巡りでの使用が考えられる。【００１７】暑さ対策に拘らず、これに動画撮影の小型カメラやスマホやコンピュータやドローンやメガネや双眼鏡を用途に応じて取付けて使用することが出来る。【００１８】１、２、３の三つのアームや１４の影をつくるための物を折り畳み式にすることで鞄に収まり持ち運びしやすくなります。【００１９】図８のヘルメットに取付ける頭部固定器１個につき２台の小型扇風機を装着して使用すれば６台の小型扇風機により多くの箇所に風を当てれるのでかなりの暑さ対策になります。【００２０】ひと回り大きいヘルメットだと空間が広くなり尚良い。
頭部固定器の取付けを前提に一体型のヘルメットをつくれば、ヘルメット内部のプラスチックの出っ張りを無くし安全性の高いものが出来る。
【符号の説明】
【００２１】１  右側アーム
２  後部アーム
３  左側アーム
４  右側頭部接触部
５  後頭部接触部
６  左側頭部接触部
７  バネ収納部
８  右側アームと左側アーム用のバネ
９  後部アーム用のバネ
１０  ネジ
１１  ネジ
１２  ５の後頭部接触部を嵌める少し窪んだ部分
１３  ６の左側頭部接触部を嵌める少し窪んだ部分
１４  影をつくるための物
１５  小型扇風機
１６  小型扇風機
１７  小型扇風機
１８  小型扇風機
１９  小型カメラ
２０  バネ収納部
２１  アーム部
２２  頭部接触部
２３  ヘルメットに取付けるための締め付けるネジ
２４  ヘルメット
【図１】
2020105681.tif 000003
【図２】
2020105681.tif 000004
【図３】
2020105681.tif 000005
【図４】
2020105681.tif 000006
【図５】
2020105681.tif 000007
【図６】
2020105681.tif 000008
【図７】
2020105681.tif 000009
【図８】
2020105681.tif 000010
【手続補正書】
【提出日】令和1年8月11日(2019.8.11)
【手続補正１】
【補正対象書類名】明細書
【補正対象項目名】全文
【補正方法】変更
【補正の内容】
【発明の詳細な説明】
【技術分野】
【０００１】本発明は特に夏場の暑さを軽減させるため、頭部に影と広い空間を確保し、頭部と首周りに風を送るためのものを取付けるためのものです。
帽子でも日傘でもなく、それらの中間的な物を取付けるものです。【０００２】ある程度確りと固定され両手が自由になるので、暑さを和らげる目的で複数の小型扇風機等を取付けて普通に様々な活動をすることが可能です。
【背景技術】
【０００３】特に夏場の屋外活動において、暑さでの不快感があり熱中症になる人もいます。
屋外活動中に携帯型の扇風機を使用して顔や首周りに風を当てるには手で持って向けなくてはいけないので片手での活動に制限されてしまいます。
【発明の概要】
【発明が解決しようとする課題】
【０００４】従来の屋外活動時に身につける帽子は頭部と多くの面積を接してしまうため、空間が狭く蒸れてしまいます。【０００５】帽子は被るだけなので固定が弱く、暑さを和らげる目的で複数の小型扇風機等を取付けると、少しの動きでズレてしまうため屋外活動で使いにくい。【０００６】従来の作業現場で使用のヘルメットに関しては、被って尚且つ顎紐で固定しなくては装着出来ないため、頭部と多くの面積を接して被り、更に顎紐を締めるので髪が押しつぶされて空間が狭くなり蒸れるだけじゃなく、窮屈感や圧迫感が生じます。【０００７】従来の作業現場で使用のヘルメットに関しては、固定が弱いため暑さを和らげる目的で複数の小型扇風機等を取付けると、慣性力が大きくなり少しの動きでズレてしまいます。
【課題を解決するための手段】
【０００８】上記課題を解決するため、左右の側頭部を挟み耳に留めることで装着固定する物を考案した。
この固定器に、頭部を影にするものや風を送るもの等を取付けて使用する。
【発明の効果】
【０００９】頭部と固定器の接触面積が極端に小さくなり、頭部と被り物の空間を広げられるため、風通しが良くなります。【００１０】ある程度確りと頭に固定出来るので、複数の小型扇風機等を取付けて顔や頭や首周りに風を送ることも可能になり、暑さを軽減します。
【図面の簡単な説明】
【００１１】
【図１】頭部固定器の図
【図２】頭部に頭部固定器を装着した図
【図３】頭部固定器に取付けて暑さを軽減させる物の図（例）
【図４】ヘルメット用頭部固定器の側頭部用の図（右側）
【図５】ヘルメット用頭部固定器の後頭部用の図
【図６】ヘルメットに頭部固定器を取付けた状態の図
【図７】頭部に小型扇風機を取付けた頭部固定器を装着した図
【図８】ヘルメットに小型扇風機を取付けた頭部固定器を装着した図
【発明を実施するための形態】
【００１２】以下、本発明の実施の形態を図面に基づいて説明する。
【００１３】図１の頭部固定器に小型扇風機、影をつくる物等を取付ける。
左手で図１の３を右手で図１の４を持ち、左側頭部の窪み部に３を右側頭部の窪み部に４を嵌めて、各々の耳の裏側にアームを這わせて、各々の耳の裏側下部窪みに図１の５と６を当てて図１の９と１０でクリップして装着する。
【００１４】ヘルメットに関しては、図４の側頭部用頭部固定器を右側用とそれと対称な左側用と図５の後頭部用をヘルメットに取付けて、上記の［００１３］と同様にして装着する。
【実施例】
【００１５】過酷な夏場の晴天時の屋外活動、例えばスポーツ観戦において、頭部や首周りに風を受けながら見れるので、暑さを軽減出来る。
【産業上の利用可能性】
【００１６】頭に取付けて両手が自由になるので様々な場面での暑さ対策に利用できます。
庭の手入れや農作業、釣りや登山、トレッキングやキャンプ、ゴルフやテニスのアウトドアスポーツ、卓球やバドミントンのインドアスポーツ、スポーツ観戦や様々なイベント景勝地や観光地巡りでの使用等が考えられる。【００１７】暑さ対策に拘らず、これに小型カメラや音楽プレーヤーやスマートフォンやドローンやメガネや双眼鏡等を用途に応じて取付けて使用することが出来る。【００１８】図３に関しては頭部に影をつくる役割のみのデザインにすると、折畳んで持ち運びしやすくなり邪魔にならなくなります。【００１９】図８のヘルメットに取付ける頭部固定器１個につき２台の小型扇風機を装着して使用すれば６台の小型扇風機により多くの箇所に風を当てれるのでかなりの暑さ対策になります。【００２０】ひと回り大きいヘルメットだと空間が広くなり尚良い。
頭部固定器の取付けを前提に一体型のヘルメットをつくれば、ヘルメット内部のプラスチックの出っ張りを無くし安全性の高いものが出来る。
【符号の説明】
【００２１】１上部アーム
２下部アーム
３左頭部窪み接触部
４右頭部窪み接触部
５左耳裏側下部窪み接触部
６右耳裏側下部窪み接触部
７左耳裏側アーム
８右耳裏側アーム
９左耳たぶクリップ：頭を下げたり激しい運動をする場合必要
１０右耳たぶクリップ：頭を下げたり激しい運動をする場合必要
１１バネを仕込む位置：頭部固定器に取付ける物の重量が増え固定が弱くなる場合必要
１２後頭部接触部：後頭部側に重量物を配した為に、その重さでアームが下がる場合必要
１３影をつくる物
１４小型扇風機
１５小型カメラ
１６ヘルメット
１７ヘルメットに固定する為に締め付けるネジ
１８バネ収納部
１９バッテリー
２０フレキシブルアーム
【手続補正２】
【補正対象書類名】特許請求の範囲
【補正対象項目名】全文
【補正方法】変更
【補正の内容】
【特許請求の範囲】
【請求項１】
庭の手入や農作業、ジョギングや登山、ゴルフやテニス、卓球やバドミントン等々、その用途に応じて、小型扇風機、小型カメラ、ラジオ、スマートフォン、メガネ、影をつくる物等を取付ける目的で、被ったり紐で締めたりせず頭部を挟み耳に留めることで、頭部との接触面積を小さくし風通しも考慮して装着固定することを特徴とする器具。
【請求項２】
ヘルメットに取付けて、ヘルメットの面と頭部の面を接したり紐で締めたりせず、頭部を挟み耳に留めることでの装着を特徴とする器具。
頭部固定器と一体型のヘルメットを製造する場合、一回り大きいヘルメットにすればヘルメットと頭部の間の空間が広くなり風通しが良くなります。
【手続補正３】
【補正対象書類名】図面
【補正対象項目名】全図
【補正方法】変更
【補正の内容】
【図１】
2020105681.tif 000011
【図２】
2020105681.tif 000012
【図３】
2020105681.tif 000013
【図４】
2020105681.tif 000014
【図５】
2020105681.tif 000015
【図６】
2020105681.tif 000016
【図７】
2020105681.tif 000017
【図８】
2020105681.tif 000018
【手続補正書】
【提出日】令和1年9月4日(2019.9.4)
【手続補正１】
【補正対象書類名】明細書
【補正対象項目名】全文
【補正方法】変更
【補正の内容】
【発明の詳細な説明】
【技術分野】
【０００１】本発明は特に夏場の暑さを軽減させるため、頭部に影と広い空間を確保し、頭部と首周りに風を送るためのものを取付けるためのものです。
帽子でも日傘でもなく、それらの中間的な物を取付けるものです。【０００２】ある程度確りと固定され両手が自由になるので、暑さを和らげる目的で複数の小型扇風機等を取付けて普通に様々な活動をすることが可能です。
【背景技術】
【０００３】特に夏場の屋外活動において、暑さでの不快感があり熱中症になる人もいます。
屋外活動中に携帯型の扇風機を使用して顔や首周りに風を当てるには手で持って向けなくてはいけないので片手での活動に制限されてしまいます。
【発明の概要】
【発明が解決しようとする課題】
【０００４】従来の屋外活動時に身につける帽子は頭部と多くの面積を接してしまうため、空間が狭く蒸れてしまいます。【０００５】帽子は被るだけなので固定が弱く、暑さを和らげる目的で複数の小型扇風機等を取付けると、少しの動きでズレてしまうため屋外活動で使いにくい。【０００６】従来の作業現場で使用のヘルメットに関しては、被って尚且つ顎紐で固定しなくては装着出来ないため、頭部と多くの面積を接して被り、更に顎紐を締めるので髪が押しつぶされて空間が狭くなり蒸れるだけじゃなく、窮屈感や圧迫感が生じます。【０００７】従来の作業現場で使用のヘルメットに関しては、固定が弱いため暑さを和らげる目的で複数の小型扇風機等を取付けると、慣性力が大きくなり少しの動きでズレてしまいます。
【課題を解決するための手段】
【０００８】上記課題を解決するため、左右の側頭部を挟み耳に留めることで装着固定する物を考案した。
この固定器に、頭部を影にするものや風を送るもの等を取付けて使用する。
【発明の効果】
【０００９】頭部と固定器の接触面積が極端に小さくなり、頭部と被り物の空間を広げられるため、風通しが良くなります。【００１０】ある程度確りと頭に固定出来るので、複数の小型扇風機等を取付けて顔や頭や首周りに風を送ることも可能になり、暑さを軽減します。
【図面の簡単な説明】
【００１１】
【図１】頭部固定器の図
【図２】頭部に頭部固定器を装着した図
【図３】頭部固定器に取付けて暑さを軽減させる物の図（例）
【図４】ヘルメット用頭部固定器の側頭部用の図（右側）
【図５】ヘルメット用頭部固定器の後頭部用の図
【図６】ヘルメットに頭部固定器を取付けた状態の図
【図７】頭部に小型扇風機を取付けた頭部固定器を装着した図
【図８】ヘルメットに小型扇風機を取付けた頭部固定器を装着した図
【発明を実施するための形態】
【００１２】以下、本発明の実施の形態を図面に基づいて説明する。
【００１３】図１の頭部固定器に小型扇風機、影をつくる物等を取付ける。
左手で図１の３を右手で図１の４を持ち、左側頭部の窪み部に３を右側頭部の窪み部に４を嵌めて、各々の耳の裏側にアームを這わせて、各々の耳の裏側下部窪みに図１の５と６を当てて図１の９と１０でクリップして装着する。
【００１４】ヘルメットに関しては、図４の側頭部用頭部固定器を右側用とそれと対称な左側用と図５の後頭部用をヘルメットに取付けて、上記の［００１３］と同様にして装着する。
【実施例】
【００１５】過酷な夏場の晴天時の屋外活動、例えばスポーツ観戦において、頭部や首周りに風を受けながら見れるので、暑さを軽減出来る。
【産業上の利用可能性】
【００１６】頭に取付けて両手が自由になるので様々な場面での暑さ対策に利用できます。
庭の手入れや農作業、釣りや登山、トレッキングやキャンプ、ゴルフやテニスのアウトドアスポーツ、卓球やバドミントンのインドアスポーツ、スポーツ観戦や様々なイベント景勝地や観光地巡りでの使用等が考えられる。【００１７】暑さ対策に拘らず、これに小型カメラや音楽プレーヤーやスマートフォンやドローンやメガネや双眼鏡等を用途に応じて取付けて使用することが出来る。
ゴルフで欲しいデータを聞くと読み上げる機器とかＶＲゴーグルにも使えます。
用途が暑さ対策でない場合、暑くない地域や使用する季節で暑さ対策が不要な場合若しくはペルチェ素子等の冷やせる物を使用した場合は、風通しを考慮しなくてもよく頭部と密着して装着できる。
密着装着出来ると枕に使えます。この枕は置く枕ではなく、頭に取付けて仰向け寝や横向き寝に対応し、就寝時には寝入り易い音楽を起床時には音楽や振動や枕の膨張を。
ＶＲゴールを取付ければ起こして欲しい対象に起こされたり出来ます。【００１８】図３に関しては頭部に影をつくる役割のみのデザインにすると、折畳んで持ち運びしやすくなり邪魔にならなくなります。【００１９】図８のヘルメットに取付ける頭部固定器１個につき２台の小型扇風機を装着して使用すれば６台の小型扇風機により多くの箇所に風を当てれるのでかなりの暑さ対策になります。【００２０】ひと回り大きいヘルメットだと空間が広くなり尚良い。
頭部固定器の取付けを前提に一体型のヘルメットをつくれば、ヘルメット内部のプラスチックの出っ張りを無くし安全性の高いものが出来る。
【符号の説明】
【００２１】  １  上部アーム
２  下部アーム
３  左頭部窪み接触部
４  右頭部窪み接触部
５  左耳裏側下部窪み接触部
６  右耳裏側下部窪み接触部
７  左耳裏側アーム
８  右耳裏側アーム
９  左耳たぶクリップ：頭を下げたり激しい運動をする場合必要
１０  右耳たぶクリップ：頭を下げたり激しい運動をする場合必要
１１  バネを仕込む位置：頭部固定器に取付ける物の重量が増え固定が弱くなる場合必要
１２  後頭部接触部：後頭部側に重量物を配した為に、その重さでアームが下がる場合必要
但し、暑さ対策が不要な場合や冷やす物を後頭部に接触する様に取付けた場合は風通しを考慮しなくてもよく、頭部に密着して装着出来るので不要。
１３  影をつくる物
１４  小型扇風機
１５  小型カメラ
１６  ヘルメット
１７  ヘルメットに固定する為に締め付けるネジ
１８  バネ収納部
１９  バッテリー
２０  フレキシブルアーム
【手続補正２】
【補正対象書類名】特許請求の範囲
【補正対象項目名】全文
【補正方法】変更
【補正の内容】
【特許請求の範囲】
【請求項１】
庭の手入や農作業、ジョギングや登山、ゴルフやテニス、卓球やバドミントン等々、その用途に応じて、小型扇風機、小型カメラ、ラジオ、スマートフォン、メガネ、影をつくる物等を取付ける目的で、被ったり紐で締めたりせず頭部を挟み耳に留めることで、頭部との接触面積を小さくし風通しも考慮して装着固定することを特徴とする器具。
但し、用途が暑さ対策でない場合、暑くない地域や使用する季節で暑さ対策が不要な場合、若しくはペルチェ素子等の冷やせる物を使用した場合は、風通しを考慮する必要がなく、頭部に頭部固定器を密着して装着出来る。
【請求項２】
ヘルメットに取付けて、ヘルメットの面と頭部の面を接したり紐で締めたりせず、頭部を挟み耳に留めることでの装着を特徴とする器具。
頭部固定器と一体型のヘルメットを製造する場合、一回り大きいヘルメットにすればヘルメットと頭部の間の空間が広くなり風通しが良くなります。
【手続補正書】
【提出日】令和1年10月18日(2019.10.18)
【手続補正１】
【補正対象書類名】明細書
【補正対象項目名】全文
【補正方法】変更
【補正の内容】
【発明の詳細な説明】
【技術分野】
【０００１】本発明は特に夏場の暑さを軽減させるため、頭部に影と広い空間を確保し、頭部と首周りに風を送るためのものを取付けるためのものです。
帽子でも日傘でもなく、それらの中間的な物を取付けるものです。【０００２】ある程度確りと固定され両手が自由になるので、暑さを和らげる目的で複数の小型扇風機等を取付けて普通に様々な活動をすることが可能です。
【背景技術】
【０００３】特に夏場の屋外活動において、暑さでの不快感があり熱中症になる人もいます。
屋外活動中に携帯型の扇風機を使用して顔や首周りに風を当てるには手で持って向けなくてはいけないので片手での活動に制限されてしまいます。
【発明の概要】
【発明が解決しようとする課題】
【０００４】従来の屋外活動時に身につける帽子は頭部と多くの面積を接してしまうため、空間が狭く蒸れてしまいます。【０００５】帽子は被るだけなので固定が弱く、暑さを和らげる目的で複数の小型扇風機等を取付けると、少しの動きでズレてしまうため屋外活動で使いにくい。【０００６】従来の作業現場で使用のヘルメットに関しては、被って尚且つ顎紐で固定しなくては装着出来ないため、頭部と多くの面積を接して被り、更に顎紐を締めるので髪が押しつぶされて空間が狭くなり蒸れるだけじゃなく、窮屈感や圧迫感が生じます。【０００７】従来の作業現場で使用のヘルメットに関しては、固定が弱いため暑さを和らげる目的で複数の小型扇風機等を取付けると、慣性力が大きくなり少しの動きでズレてしまいます。
【課題を解決するための手段】
【０００８】上記課題を解決するため、左右の側頭部を挟み耳に留めることで装着固定する物を考案した。
この固定器に、頭部を影にするものや風を送るもの等を取付けて使用する。
【発明の効果】
【０００９】頭部と固定器の接触面積が極端に小さくなり、頭部と被り物の空間を広げられるため、風通しが良くなります。【００１０】ある程度確りと頭に固定出来るので、複数の小型扇風機等を取付けて顔や頭や首周りに風を送ることも可能になり、暑さを軽減します。
【図面の簡単な説明】
【００１１】
【図１】頭部固定器の図
【図２】頭部に頭部固定器を装着した図
【図３】頭部固定器に取付けて暑さを軽減させる物の図（例）
【図４】ヘルメット用頭部固定器の側頭部用の図（右側）
【図５】ヘルメット用頭部固定器の後頭部用の図
【図６】ヘルメットに頭部固定器を取付けた状態の図
【発明を実施するための形態】
【００１２】以下、本発明の実施の形態を図面に基づいて説明する。
【００１３】図１の頭部固定器に小型扇風機、影をつくる物等を取付ける。
左手で図１の３を右手で図１の４を持ち、左側頭部の窪み部に３を右側頭部の窪み部に４を嵌めて、各々の耳の裏側にアームを這わせて、各々の耳の裏側下部窪みに図１の５と６を当てて図１の９と１０でクリップして装着する。
【００１４】ヘルメットに関しては、図４の側頭部用頭部固定器を右側用とそれと対称な左側用と図５の後頭部用をヘルメットに取付けて、上記の［００１３］と同様にして装着する。
【実施例】
【００１５】過酷な夏場の晴天時の屋外活動、例えばスポーツ観戦において、頭部や首周りに風を受けながら見れるので、暑さを軽減出来る。
【産業上の利用可能性】
【００１６】頭に取付けて両手が自由になるので様々な場面での暑さ対策に利用できます。
庭の手入れや農作業、釣りや登山、トレッキングやキャンプ、ゴルフやテニスのアウトドアスポーツ、卓球やバドミントンのインドアスポーツ、スポーツ観戦や様々なイベント景勝地や観光地巡りでの使用等が考えられる。【００１７】暑さ対策に拘らず、これに小型カメラや音楽プレーヤーやスマートフォンやドローンやメガネや双眼鏡等を用途に応じて取付けて使用することが出来る。
ゴルフで欲しいデータを聞くと読み上げる機器とかＶＲゴーグルにも使えます。
用途が暑さ対策でない場合、暑くない地域や使用する季節で暑さ対策が不要な場合若しくはペルチェ素子等の冷やせる物を使用した場合は、風通しを考慮しなくてもよく頭部と密着して装着できる。
密着装着出来ると枕に使えます。この枕は置く枕ではなく、頭に取付けて仰向け寝や横向き寝に対応し、就寝時には寝入り易い音楽を起床時には音楽や振動や枕の膨張を。
ＶＲゴールを取付ければ起こして欲しい対象に起こされたり出来ます。【００１８】図３に関しては頭部に影をつくる役割のみのデザインにすると、折畳んで持ち運びしやすくなり邪魔にならなくなります。【００１９】図８のヘルメットに取付ける頭部固定器１個につき２台の小型扇風機を装着して使用すれば６台の小型扇風機により多くの箇所に風を当てれるのでかなりの暑さ対策になります。【００２０】ひと回り大きいヘルメットだと空間が広くなり尚良い。
頭部固定器の取付けを前提に一体型のヘルメットをつくれば、ヘルメット内部のプラスチックの出っ張りを無くし安全性の高いものが出来る。
【符号の説明】
【００２１】  １  上部アーム：変形しにくい（外側に引っ張っても開きにくい）素材を使用。
２  下部アーム
３  左頭部窪み接触部：固定を強くしたい場合、この部分をネジで締める方法もある。その場合、肌に接する部分はソフトで摩擦の大きい素材にする。
４  右頭部窪み接触部：固定を強くしたい場合、この部分をネジで締める方法もある。その場合、肌に接する部分はソフトで摩擦の大きい素材にする。
５  左耳裏側下部窪み接触部
６  右耳裏側下部窪み接触部
７  左耳裏側アーム：このアームの下部部分は必ずしも必要ではないが下部アームと繋ぐことでまとまり使い易くなる。
８  右耳裏側アーム：このアームの下部部分は必ずしも必要ではないが下部アームと繋ぐことでまとまり使い易くなる。
９  左耳たぶクリップ：重量物を取付け頭を下げたり激しい運動をする場合必要
１０  右耳たぶクリップ：重量物を取付け頭を下げたり激しい運動をする場合必要
１１  バネを仕込む位置：頭部固定器に取付ける物の重量が増え固定が弱くなる場合必要  （上部アームの中間に１か所だけ仕込む方法もある。）
また仕込む物は弾性力が大きい物が良くゴムでも良い。
１２  後頭部接触部：後頭部側に重量物を配した為に、その重さでアームが下がる場合必要  但し、暑さ対策が不要な場合や冷やす物を後頭部に接触する様に取付けた場合は風通しを考慮しなくてもよく、頭部に密着して装着出来るので不要。
１３  影をつくる物
１４  小型扇風機
１５  ヘルメット
１６  ヘルメットに取付けるための磁石
１７  バネ収納部：弾性力が大きければ良くゴムでも良い。
【手続補正２】
【補正対象書類名】特許請求の範囲
【補正対象項目名】全文
【補正方法】変更
【補正の内容】
【特許請求の範囲】
【請求項１】
庭の手入や農作業、ジョギングや登山、ゴルフやテニス、卓球やバドミントン等々、その用途に応じて、小型扇風機、小型カメラ、ラジオ、スマートフォン、メガネ、影をつくる物等を取付ける目的で、被ったり紐で締めたりせず頭部を挟み耳に留めることで、頭部との接触面積を小さくし風通しも考慮して装着固定することを特徴とする器具。
但し、用途が暑さ対策でない場合、暑くない地域や使用する季節で暑さ対策が不要な場合、若しくはペルチェ素子等の冷やせる物を使用した場合は、風通しを考慮する必要がなく、頭部に頭部固定器を密着して装着出来る。
用途により取付ける物の重さが増して尚且つ激しい動きで挟んだ頭部の位置がずれる場合は、弾性力の大きいバネやゴム等を仕込んだり肌と接する部分をソフトで摩擦の大きい素材にして、そこをネジで調節し挟む力を強化したりして対応する。
【請求項２】
ヘルメットに取付けて、ヘルメットの面と頭部の面を接したり紐で締めたりせず、頭部を挟み耳に留めることでの装着を特徴とする器具。
頭部固定器と一体型のヘルメットを製造する場合、一回り大きいヘルメットにすればヘルメットと頭部の間の空間が広くなり風通しが良くなります。
頭部固定器とヘルメットを磁石で取付けると、ヘルメットが外部からの衝撃を受けたとき磁石が外れるので、耳が受ける衝撃も減らせる。またアームをある程度柔らかい素材にすることでも耳が守れる。
用途が暑さ対策でない場合、暑くない地域や使用する季節で暑さ対策が不要な場合、若しくはペルチェ素子等の冷やせる物を使用した場合は、風通しを考慮する必要がなく後頭部接触部を無くし密着して装着出来る。
【手続補正３】
【補正対象書類名】図面
【補正対象項目名】全図
【補正方法】変更
【補正の内容】
【図１】
2020105681.tif 000019
【図２】
2020105681.tif 000020
【図３】
2020105681.tif 000021
【図４】
2020105681.tif 000022
【図５】
2020105681.tif 000023
【図６】
2020105681.tif 000024
【手続補正書】
【提出日】令和1年12月30日(2019.12.30)
【手続補正１】
【補正対象書類名】明細書
【補正対象項目名】全文
【補正方法】変更
【補正の内容】
【発明の詳細な説明】
【技術分野】
【０００１】本発明は、「頭部に装着したら両手が自由になり機能的で便利になるのに」といった重さ数百グラム程度までの物を頭部に取付けるための物です。【０００２】跳んだり走ったりしても外れないので、じっとしている状態から激しい動きのスポーツ迄使えます。また、被ったり紐で締めたりせず装着します。ファッション的にも恥ずかしくない未来的なデザインなので様々な場所で違和感無く使用出来ると思います。
【背景技術】
【０００３】カメラによる撮影の場合、カメラやスマートフォンを手で持って撮影対象に向ける行為が必要ですが、頭部に装着出来れば両手が自由なまま撮影出来ます。【０００４】ゴルフラウンド中電話対応する場合スマートフォンを持って話さなければならず同組者達を待たせてしまいますが、自動車のハンズフリーフォンの様にＢｌｕｅｔｏｏｔｈみたいなので繋いだ物を頭部に装着出来ればプレーしながら電話対応出来ます。
【発明の概要】
【発明が解決しようとする課題】
【０００５】眼鏡に物を取付けた場合、軽い物でも固定が弱いため動作により慣性力が働くとずれたり外れたりする。【０００６】帽子に物を取付けた場合、数百グラムの物だと動作により慣性力が働きズレてしまう。【０００７】ヘッドバンドに物を取付けた場合、数百グラムの物だと動作により慣性力が働きズレてしまう。【０００８】ヘルメットに物を取付けた場合、ヘルメットだけ被る時よりも強く確りと顎紐を締める必要がある為、窮屈感や圧迫感が生じます。髪が押し潰されますし、そもそもヘルメットを被っても違和感のない場所は限定されますので日常普通に使うと恥ずかしい。
【課題を解決するための手段】
【０００９】上記課題を解決するため、左右の側頭部を挟み耳に留めることで装着固定する物を考案した。
この頭部固定器に、使用者の用途に応じて小型カメラや電話やラジオ等を取付けて使う。
【発明の効果】
【００１０】手で持って使用していた物を頭部に装着して使用することにより、両手が自由になりそれを使用しながら他の事が出来る範囲が広がる。
例えばカメラの場合、意識して撮影する必要がないので皆と一緒にパーティーや様々なイベントに集中したり楽しんだりしても撮影出来ます。
【図面の簡単な説明】
【００１１】
【図１】頭部固定器の図
【図２】頭部に頭部固定器を装着した図
【発明を実施するための形態】
【００１２】以下、本発明の実施の形態を図面に基づいて説明する。
【００１３】用途に応じた物を頭部固定器に取付けます。例えばカメラを取付けたら、左手で図１の１と３を右手で図１の２と４を持ち、左側頭部の窪み部に１を左耳の裏側下部窪みに３を右側頭部の窪み部に２を右耳の裏側下部窪みに４を嵌めると図２の様に装着出来ます。
【実施例】
【００１４】頭部固定器にカメラと電話機能を取付けた物を電話相手が装着していれば、電話相手が見ている対象をスマートフォン等の画面で見れるので、お遣いに行った人が見ている対象を見てどれを買うか指示出来る。道の誘導も簡単だし、見ている対象を顔を向けるだけで共有出来ます。
アドバイスを求める時も場所を選ばずその場の状況を見せれるので便利です。
友人達とゴルフをすれば、その楽しいシーンやインパクトからのその球筋も撮れますし電話が来ても電話相手と話しながらプレー出来ます。
【産業上の利用可能性】
【００１５】顔認証機能のカメラを取付けて現場の警察官が装着することで、犯人や失踪者や迷子等登録した人が映れば、警察官が気付かなくても機器が認識するので逃しにくい。【００１６】暑さ対策のため小型扇風機を取付けると自由な両手で様々な活動が出来ます。
屋外や屋内での作業、アウトドアスポーツやインドアスポーツ、スポーツ観戦や旅行、コンサートや様々なイベントなどなど多岐の使用が考えられる。
頭部接触部分をペルチェ素子等の冷やせる物に出来れば更に良い。【００１７】帽子でも日傘でもない、その間的な存在の日除けの取付けが考えられる。【００１８】頭部と密着させずに装着出来るヘルメットの取付けが考えられる。【００１９】頭部装着タイプのゴルフナビが考えられる。【００２０】鼻にのせないメガネやサングラスが考えられる。【００２１】ＶＲゴーグルの装着に使えます。
【符号の説明】
【００２２】１  左側頭部の窪み接触部：重量物を取付けて固定が弱い場合、ネジで調整する対策が考えられる。軽量物の場合、窪みで挟まなくても耳に掛けるだけで固定出来る。
２  右側頭部の窪み接触部：重量物を取付けて固定が弱い場合、ネジで調整する対策が考えられる。軽量物の場合、窪みで挟まなくても耳に掛けるだけで固定出来る。
３  左耳裏側下部窪み接触部
４  右耳裏側下部窪み接触部
５  アーム：変形しにくい（外側に引っ張ても開きにくい）素材を使用。重量物を取付けて固定が弱い場合、バネ等の弾性力の大きい物を仕込む対策が考えられる。
６  左側顎付根接触部：重量物を取付けた場合必要、軽量の場合不要。
７  右側顎付根接触部：重量物を取付けた場合必要、軽量の場合不要。
【手続補正２】
【補正対象書類名】特許請求の範囲
【補正対象項目名】全文
【補正方法】変更
【補正の内容】
【特許請求の範囲】
【請求項１】
顔認証機能のカメラを取付けて現場の警察官が装着すれば、犯人や失踪者や迷子等を登録した人が映れば、警察官が気付かなくても機器が認識するので逃しにくくなります。他の業務でも証拠が撮れるので便利です。
頭部固定器にカメラと電話機能（自動車のハンズフリーフォンの様にＢｌｕｅｔｏｏｔｈみたいなものでスマホと繋ぐ）を持たせた物を装着したら、電話相手が見ている対象を見れるので、買い物で並んだ商品を見て選べるし道の誘導も簡単です。状況や状態が見れればアドバイスし易くなります。
友人達とゴルフをすれば、その楽しいシーンやインパクトからのその球筋も撮れますし電話が来ても電話相手と話しながらプレー出来ます。
ラジオ、音楽プレーヤー、ゴルフナビ、眼鏡、サングラス、ＶＲゴーグル、小型扇風機日除け、ヘルメット等を取付けての使用が考えられます。
【請求項２】
頭部固定器に軽量物を取付けて使用する場合、頭部を挟まなくても耳に掛けて耳裏下部の窪みに嵌めて装着するだけで固定される。
頭部固定器に少し重い物を取付けて使用する場合、頭部を挟んで耳に掛けて耳裏下部の窪みに嵌めて装着し固定する。
頭部固定器に重量物を取付けて使用する場合、頭部固定器に左右の顎付根接触部を設けたり、左右の側頭部の窪み接触部をネジで調節出来る様にしたり、挟む力を増す為に弾性力の大きい物を仕込んで対策する。
用途によって取付ける物が変わることで重さが変わる、同じ重さでも耳側か後頭部側か取付ける位置でもバランスが変わる。また、じっとしての使用か日常の普通の動きでの使用か激しい動きでの使用なのかでも変わるので、着け心地の為に検討が必要。
【手続補正３】
【補正対象書類名】図面
【補正対象項目名】全図
【補正方法】変更
【補正の内容】
【図１】
2020105681.tif 000025
【図２】
2020105681.tif 000026